(57)【特許請求の範囲】
【請求項１】
ディスプレイでプライバシーを制御するためのシステムであって、
微小電気機械システム（ＭＥＭＳ）に回転可能に結合された発光ダイオード（ＬＥＤ）ピクセルと、
前記ＭＥＭＳを制御するためのコントローラとを含み、前記ＭＥＭＳは、ＬＥＤピクセルに関して前記ディスプレイでのプライバシーが維持されるように、そのＬＥＤピクセルの視野角を変更するために前記コントローラにより発せられたコマンドに応答してＬＥＤピクセルを回転させ、
前記ＬＥＤピクセルは、ＬＥＤを収容するためのハウジングと、前記ハウジングの内壁に配置されたハウジング歯車を含み、前記ＭＥＭＳは、モータに接続されたモータ歯車を含み、前記コントローラにより発せられた前記コマンドに応答して前記モータが回転する際に、前記モータ歯車の歯が前記ハウジング歯車の歯と噛み合って前記ＬＥＤピクセルを回転させるようになっている、システム。
【請求項２】
前記ＬＥＤは、青色ＬＥＤ、緑色ＬＥＤ、及び赤色ＬＥＤを含む、請求項１に記載のシステム。
【請求項３】
前記コントローラは、前記コントローラの入力源から入力を受け取るためのプロセッサ及びメモリを含み、その入力に基づいて、前記ＬＥＤピクセルを回転させるために前記ＭＥＭＳに前記コマンドを発し、
前記コントローラの入力源は、押しボタン、回転ノブ、センサ、又はそれらの組み合わせを含む、請求項１又は２に記載のシステム。
【請求項４】
前記ＬＥＤピクセルは、前記コントローラにより発せられた前記コマンドに応答して、前記ＭＥＭＳによって−７０度から＋７０度まで回転する、請求項１〜３の何れか１項に記載のシステム。
【請求項５】
ディスプレイ装置であって、
多数の発光ダイオード（ＬＥＤ）ピクセルと、
多数の微小電気機械システム（ＭＥＭＳ）であって、前記ＬＥＤピクセルのそれぞれが、前記ＭＥＭＳの１つに回転可能に結合されている、多数のＭＥＭＳと、
前記ＭＥＭＳのそれぞれを個別的に制御するためのコントローラとを含み、前記ＭＥＭＳは、前記ディスプレイ装置のプライベートな閲覧が維持されるように、前記ＬＥＤピクセルの視野角を変更するために前記コントローラにより発せられたコマンドに応答してそれらＬＥＤピクセルを選択的に回転させ、
前記ＬＥＤピクセルのそれぞれは、ＬＥＤを収容するためのハウジングと、前記ハウジングの内壁に配置されたハウジング歯車を含み、前記ＭＥＭＳのそれぞれは、モータに接続されたモータ歯車を含み、前記コントローラにより発せられた前記コマンドに応答して前記モータが回転する際に、前記モータ歯車の歯が前記ハウジング歯車の歯と噛み合って前記ＬＥＤピクセルを回転させるようになっている、ディスプレイ装置。
【請求項６】
前記ＬＥＤは、青色ＬＥＤ、緑色ＬＥＤ、及び赤色ＬＥＤを含む、請求項５に記載のディスプレイ装置。
【請求項７】
前記ＭＥＭＳは、前記ディスプレイ装置の全てのＬＥＤピクセルに関して前記ディスプレイ装置のプライベートな閲覧が維持されるように、前記コントローラにより発せられた前記コマンドに応答して、前記ＬＥＤピクセルのそれぞれを或る角度に回転させる、請求項５又は６記載のディスプレイ装置。
【請求項８】
前記ディスプレイ装置の水平線と関連しているＬＥＤピクセルは、前記ディスプレイ装置での前記水平線のプライベートな閲覧が維持されるように、前記ディスプレイ装置の鉛直線と関連しているＬＥＤピクセルとは無関係に回転する、請求項５又は６に記載のディスプレイ装置。
【請求項９】
前記ディスプレイ装置の鉛直線と関連しているＬＥＤピクセルは、前記ディスプレイ装置での前記鉛直線のプライベートな閲覧が維持されるように、前記ディスプレイ装置の水平線と関連しているＬＥＤピクセルとは無関係に回転する、請求項５又は６に記載のディスプレイ装置。
【請求項１０】
前記ＭＥＭＳは、前記ディスプレイ装置の前記ＬＥＤピクセルの一部のプライベートな閲覧が維持されるように、前記コントローラにより発せられた前記コマンドに応答して、前記ＬＥＤピクセルの一部を回転させる、請求項５又は６に記載のディスプレイ装置。
【請求項１１】
前記コントローラは、前記コントローラの回転ノブからの入力を受け取るためのプロセッサ及びメモリを含み、その入力に基づいて、前記ＬＥＤピクセルを回転させるために前記ＭＥＭＳに前記コマンドを発する、請求項５〜１０の何れか１項に記載のディスプレイ装置。
【請求項１２】
前記コントローラは、前記ＬＥＤピクセルをユーザの方へ回転させるために前記ＭＥＭＳに前記コマンドを発するように、前記ディスプレイ装置に対して前記ユーザの位置を検出するためのセンサを含む、請求項５〜１１の何れか１項に記載のディスプレイ装置。
【請求項１３】
ディスプレイでのプライバシーを制御するための方法であって、
前記ディスプレイの発光ダイオード（ＬＥＤ）ピクセルの視野角を変更することになる入力を、コントローラの入力源を介して受け取り、
前記コントローラのプロセッサ及びメモリを用いて、前記ＬＥＤピクセルを回転させるために微小電気機械システム（ＭＥＭＳ）にコマンドを発し、
前記コマンドに基づいて、前記ディスプレイのプライベートな閲覧が維持されるように、前記ＭＥＭＳによって前記ＬＥＤピクセルを回転させることを含み、
前記ＬＥＤピクセルを回転させることは、ＬＥＤピクセルを回転させるために前記ＬＥＤピクセルのハウジングの内壁に位置するハウジング歯車の歯と前記ＭＥＭＳのモータ歯車の歯を係合することを含む、方法。
【請求項１４】
前記ＬＥＤピクセルのハウジングは、青色ＬＥＤ、緑色ＬＥＤ、及び赤色ＬＥＤを収容する、請求項１３に記載の方法。
【請求項１５】
前記ＬＥＤピクセルは、前記コントローラにより発せられた前記コマンドに応答して、前記ＭＥＭＳによって−７０度から＋７０度まで回転する、請求項１３又は１４に記載の方法。
【発明の詳細な説明】
【背景技術】
【０００１】
ディスプレイは、視覚形態で情報を提示するための出力装置である。ディスプレイは、視覚形態で情報を提示するための多数の発光ダイオード（ＬＥＤ）ピクセルのような構成要素を含む。ＬＥＤピクセルは、赤色ＬＥＤ、緑色ＬＥＤ、及び青色ＬＥＤを含む。ＬＥＤピクセルは、情報がディスプレイ上に視覚形態で存在するように光を発するために、回路により制御される。
【０００２】
添付図面は、本明細書で説明される原理の様々な例を示し、明細書の一部である。当該例は、特許請求の範囲の範囲を制限しない。
【図面の簡単な説明】
【０００３】
【図１Ａ】本明細書で説明される原理の一例による、ディスプレイでプライバシーを制御するためのシステムの略図である。
【図１Ｂ】本明細書で説明される原理の一例による、ディスプレイでプライバシーを制御するためのディスプレイ装置の略図である。
【図２Ａ】本明細書で説明される原理の一例による、左向きに回転した発光ダイオード（ＬＥＤ）ピクセルの一例の略図である。
【図２Ｂ】本明細書で説明される原理の一例による、左向きに回転したＬＥＤピクセルの一例の略図である。
【図３Ａ】本明細書で説明される原理の一例による、中央の方へ回転したＬＥＤピクセルの一例の略図である。
【図３Ｂ】本明細書で説明される原理の一例による、中央の方へ回転したＬＥＤピクセルの一例の略図である。
【図４Ａ】本明細書で説明される原理の一例による、右向きに回転したＬＥＤピクセルの一例の略図である。
【図４Ｂ】本明細書で説明される原理の一例による、右向きに回転したＬＥＤピクセルの一例の略図である。
【図５】本明細書で説明される原理の一例による、プライバシーを制御するためのディスプレイの一例である。
【図６】本明細書で説明される原理の一例による、プライバシーを制御するためのディスプレイの上面図の一例である。
【図７】本明細書で説明される原理の一例による、プライバシーを制御するためのディスプレイの上面図の一例である。
【図８】本明細書で説明される原理の一例による、プライバシーを制御するためのディスプレイの上面図の一例である。
【図９】本明細書で説明される原理の一例による、プライバシーを制御するためのディスプレイの上面図の一例である。
【図１０】本明細書で説明される原理の一例による、プライバシーを制御するためのディスプレイの上面図の一例である。
【図１１】本明細書で説明される原理の一例による、プライバシーを制御するためのディスプレイの上面図の一例である。
【図１２】本明細書で説明される原理の一例による、プライバシーを制御するためのディスプレイの上面図の一例である。
【図１３】本明細書で説明される原理の一例による、ディスプレイでプライバシーを制御するための方法の流れ図である。
【発明を実施するための形態】
【０００４】
図面の全体にわたって、同じ参照番号は、類似するが必ずしも同じでない要素を示す。
【０００５】
詳細な説明
上述されたように、ディスプレイは、視覚形態で情報を提示するための出力装置である。ディスプレイにより、情報が、様々な視野角から閲覧することが可能になる。ディスプレイの視野角は、ディスプレイの視野角の中心に対して−４５度から＋４５度であることができる。これにより、多数の人々がディスプレイに表示された情報を同時に閲覧することが可能になる。
【０００６】
ディスプレイに表示された情報は、機密情報であることが多い。機密情報は、保険証券、銀行預金口座、収支報告書、人的資源、企業秘密、試験、診療記録、保安用途および他の機密情報を含む。この機密情報に起因して、権限保持者のみが機密情報を閲覧することができるように、ディスプレイで閲覧される際にこの機密情報をプライベートに保つことが望ましい。しかしながら、現在のディスプレイの場合、この機密情報は、上述されたように様々な角度から、ディスプレイを介して閲覧され得る。結果として、機密情報を閲覧する権限を与えられていない人が、ディスプレイの視野角内にいる場合、当該機密情報を閲覧する可能性がある。
【０００７】
ディスプレイでプライバシーを制御するために、プライバシー・スクリーンがディスプレイの上に配置される。プライバシー・スクリーンは、ディスプレイ上に表示される情報が特定の角度で閲覧することを可能にするように設計される。例えば、ディスプレイの視野角の中心から−１５度から＋１５度である。プライバシー・スクリーンはディスプレイの視野角を制限し、ひいてはディスプレイでプライバシーを制御するが、プライバシー・スクリーンはディスプレイを暗くする。結果として、ディスプレイの発光ダイオード（ＬＥＤ）ピクセルの輝度が増大される。しかしながら、これは、ディスプレイにおけるより多くの電力消費につながり、ディスプレイの過熱をまねく可能性がある。更に、プライバシー・スクリーンを有するディスプレイに対する位置をユーザが移動して、その結果、ユーザがもはや視野角内にいない場合、ユーザはディスプレイ上の情報を閲覧することができない。結果として、ユーザは、情報を閲覧するためにユーザ自身を視野角内に再位置決めしなければならない。これは、ユーザが１日を通して位置を移動することが多い場合に、煩わしい作業である可能性がある。
【０００８】
従って、本明細書で説明される原理は、例えば、ディスプレイでプライバシーを制御するためのシステムを含む。システムは、微小電気機械システム（ＭＥＭＳ）に回転可能に結合されたＬＥＤピクセル、及びＭＥＭＳを制御するためのコントローラを含み、ＭＥＭＳは、ＬＥＤピクセルの視野角を変更するために、コントローラにより発せられたコマンドに応答してＬＥＤピクセルを回転させ、その結果、そのＬＥＤピクセルに関するディスプレイでのプライバシーが維持される。
【０００９】
別の例において、本明細書で説明される原理は、ディスプレイ装置を含む。当該装置は、多数のＬＥＤピクセル、ＬＥＤピクセルのそれぞれがＭＥＭＳの１つに回転可能に結合されている多数のＭＥＭＳ、及びＭＥＭＳのそれぞれを個別的に制御するためのコントローラを含み、ＭＥＭＳは、ＬＥＤピクセルの視野角を変更するために、コントローラにより発せられたコマンドに応答してＬＥＤピクセルを選択的に回転させ、その結果、ディスプレイ装置のプライベートな閲覧が維持される。
【００１０】
別の例において、本明細書で説明される原理は、ディスプレイでプライバシーを制御するための方法を含む。当該方法は、ディスプレイのＬＥＤピクセルの視野角を変更することになる入力を、コントローラの入力源を介して受け取り、コントローラのプロセッサ及びメモリを用いて、ＬＥＤピクセルを回転させるためのコマンドをＭＥＭＳに発し、コマンドに基づいて、ＭＥＭＳを介してＬＥＤピクセルを回転させ、その結果、ディスプレイのプライベートな閲覧が維持される。
【００１１】
本明細書において及び添付の特許請求の範囲において、用語「ＭＥＭＳ」は、ＬＥＤピクセルを回転させるデバイスを意味する。ＭＥＭＳは、コントローラにより発せられたコマンドに応答してモータが回転する際に、モータ歯車の歯がＬＥＤピクセルのハウジングの内壁に配置されたハウジング歯車の歯と噛み合わされてＬＥＤピクセルを回転させるように、モータに接続されたモータ歯車を含む。
【００１２】
更に、本明細書において及び添付の特許請求の範囲において使用される限り、用語「多数の」又は類似した用語は、１から無限大を含む任意の正数として広く理解されることが意図されており、ゼロは数ではなくて、数のないことである。
【００１３】
以下の説明において、説明のために、多くの特定の細部が、本システム及び方法の完全な理解を提供するために記載される。しかしながら、当業者には明らかなように、本装置、システム及び方法は、これら特定の細部なしに実施され得る。明細書において「一例」または類似した用語の言及は、その例に関連して説明される特定の特徴、構造または特性が説明されたように含まれるが、他の例において含まれないかもしれないことを意味する。
【００１４】
さて、図面を参照すると、図１Ａは、本明細書で説明される原理の一例による、ディスプレイでプライバシーを制御するためのシステムの略図である。後述されるように、システム（１００）は、ＬＥＤピクセル（１０２）、ＭＥＭＳ（１０４）及びコントローラ（１０６）を含む。
【００１５】
図示されたように、システム（１００）は、ＭＥＭＳ（１０４）に回転可能に結合されたＬＥＤピクセル（１０２）及びＭＥＭＳ（１０４）を制御するためのコントローラ（１０６）を含む。ＭＥＭＳ（１０４）は、ＬＥＤピクセル（１０２）の視野角を変更するためにコントローラ（１０６）により発せられたコマンドに応答してＬＥＤピクセル（１０２）を回転させ、その結果、そのＬＥＤピクセル（１０２）に関するディスプレイでのプライバシーが維持される。
【００１６】
図１Ｂは、本明細書で説明される原理の一例による、ディスプレイでプライバシーを制御するためのディスプレイ装置の略図である。後述されるように、ディスプレイ装置（１５０）は、多数のＬＥＤピクセル（１０２）、多数のＭＥＭＳ（１０４）及びコントローラ（１０６）を含む。
【００１７】
図示されたように、ディスプレイ装置（１５０）は、多数のＬＥＤピクセル（１０２−１から１０２−ｎ）、ＬＥＤピクセル（１０２−１から１０２−ｎ）のそれぞれがＭＥＭＳ（１０４−１から１０４−ｎ）の１つに回転可能に結合される多数のＭＥＭＳ（１０４−１から１０４−ｎ）、及びＭＥＭＳ（１０４−１から１０４−ｎ）のそれぞれを個別的に制御するためのコントローラ（１０６）を含む。ＭＥＭＳ（１０４−１から１０４−ｎ）は、それらＬＥＤピクセル（１０２−１から１０２−ｎ）の視野角を変更するためにコントローラ（１０６）により発せられたコマンドに応答してＬＥＤピクセル（１０２−１から１０２−ｎ）を選択的に回転させ、その結果、ディスプレイ装置（１５０）のプライベートな閲覧が維持される。
【００１８】
図２Ａは、本明細書で説明される原理の一例による、左向きに回転したＬＥＤピクセルの一例の略図である。図２Ａ及び図２Ｂで説明されるように、コントローラ（１０６）により発せられたコマンドに基づいて、ＬＥＤピクセル（１０２）を左向きに回転させるために、ＭＥＭＳ（１０４）が使用される。
【００１９】
特に図２Ａを参照すると、ＬＥＤピクセル（１０２）は、ハウジング（２１０）を含む。ハウジング（２１０）は、ＬＥＤピクセル（１０２）及びＭＥＭＳ（１０４）の多数の構成要素を収容するために使用される。例えば、ハウジング（２１０）は、青色ＬＥＤ（２０８−１）、緑色ＬＥＤ（２０８−２）及び赤色ＬＥＤ（２０８−３）を収納するために使用される。ＬＥＤ（２０８）は、図２Ａに示されるように、ハウジング（２１０）の平坦な部分に実装される。幾つかの例において、ＬＥＤ（２０８）は、マイクロＬＥＤ（μ−ＬＥＤ）である。ハウジング（２１０）は、プラスチック又は他の適切な材料のような材料から作り上げられる。図２Ｂで表されるように、ハウジング（２１０）は、ハウジング歯車（２２０）を含む。ハウジング歯車（２２０）は、ハウジング（２１０）の内壁に位置する。ハウジング歯車（２２０）に関する更なる情報は、後述される。
【００２０】
ハウジング（２１０）は、ケース（２１２）に回転可能に接続される。後述されるように、ＬＥＤピクセル（１０２）のハウジング（２１０）が回転する際、ケース（２１２）は、ＬＥＤピクセル（１０２）のハウジング（２１０）が軸の周りに回転するように、基部を提供する。幾つかの例において、ＬＥＤピクセル（１０２）は、コントローラ（１０６）により発せられたコマンドに応答してＭＥＭＳ（１０４）を介して−７０度から＋７０度まで回転する。図２Ａに示されたように、ＬＥＤピクセル（１０２）は左向きに回転する。例えば、−１度から−７０度である。結果として、ユーザがディスプレイ（５２６）の左側に配置される場合、ユーザがＬＥＤピクセル（１０２）の視野角内にいるので、ディスプレイ（５２６）に表示された情報を閲覧することができる。しかしながら、ユーザがディスプレイ（５２６）の右側に配置される場合、ユーザは、ユーザがＬＥＤピクセル（１０２）の視野角の外側にいるように左向きに回転するＬＥＤピクセル（１０２）に起因して、ディスプレイ（５２６）に表示された情報を閲覧することができない。かくして、ＬＥＤピクセル（１０２）の左側に配置されたユーザに対して、ディスプレイ（５２６）のプライベートな閲覧が維持される。
【００２１】
図２Ｂは、本明細書で説明される原理の一例による、左向きに回転したＬＥＤピクセルの一例の略図である。後述されるように、ＭＥＭＳ（１０４）は、コントローラ（１０６）から受け取ったコマンドに基づいて、ＬＥＤピクセル（１０２）を左向きに回転させるために使用される。
【００２２】
一例において、ＭＥＭＳ（１０４）は、プライバシー制御を維持するためにＬＥＤピクセル（１０２）を左向きに回転させるためにコントローラ（１０６）からのコマンドを受け取る。図示されたように、ＭＥＭＳ（１０４）は、モータ（２２２）に接続されたモータ歯車（２２４）を含み、その結果、モータ（２２２）が、コントローラ（１０６）により発せられたコマンドに応答してＬＥＤピクセル（１０２）を左向きに回転させるために矢印２１４により示されるように回転する際、モータ歯車（２２４）の歯がハウジング歯車（２２０）の歯と噛み合う。これにより、ハウジング歯車（２２０）は、矢印２１６により示されるように回転する。ハウジング歯車（２２０）が、上述されたようにＬＥＤピクセル（１０２）のハウジング（２１０）の内壁に接続されるので、ＬＥＤピクセル（１０２）は矢印２１８により示すように、回転する。結果として、ＬＥＤピクセル（１０２）の視野角は、そのＬＥＤピクセルに関するディスプレイ（５２６）でのプライバシーが維持されるように変更される。かくして、ディスプレイ（５２６）のプライベートな閲覧は、そのＬＥＤピクセル（１０２）に関してディスプレイ（５２６）の左側に配置されたユーザに対して維持される。
【００２３】
図２Ａ及び図２Ｂの例は単一のＬＥＤピクセル（１０２）を回転させるＭＥＭＳ（１０４）を記述するが、他の図面および例は、多数のＬＥＤピクセル（１０２）を選択的に回転させるＭＥＭＳ（１０４）を記述する。結果として、二つ以上のＬＥＤピクセル（１０２）が回転することができ、その結果、ディスプレイ（５２６）でのプライバシーが維持される。
【００２４】
図３Ａは、本明細書で説明される原理の一例による、中央の方へ回転したＬＥＤピクセルの一例の略図である。図３Ａ及び図３Ｂに記述されるように、ＭＥＭＳ（１０４）は、コントローラ（１０６）により発せられたコマンドに基づいて、ＬＥＤピクセル（１０２）を中央（即ち、０度）の方へ回転させるために使用される。
【００２５】
図３Ａに示されるように、ＬＥＤピクセル（１０２）は、中央位置（例えば、０度）まで回転する。結果として、ユーザがディスプレイ（５２６）の左側、中央、又は右側に配置される場合、ユーザはディスプレイ（５２６）に表示された情報を閲覧することができる。
【００２６】
図３Ｂは、本明細書で説明される原理の一例による、中央の方へ回転したＬＥＤピクセルの一例の略図である。後述されるように、ＭＥＭＳ（１０４）は、コントローラ（１０６）から受け取ったコマンドに基づいて、ＬＥＤピクセル（１０２）を中央位置の方へ回転させるために使用される。
【００２７】
一例において、ＭＥＭＳ（１０４）は、ＬＥＤピクセル（１０２）を中央の方へ回転させるためにコントローラ（１０６）からのコマンドを受け取る。図示されたように、ＭＥＭＳ（１０４）は、モータ（２２２）に接続されたモータ歯車（２２４）を含み、その結果、モータ（２２２）が、コントローラ（１０６）により発せられたコマンドに応答してＬＥＤピクセル（１０２）を中央の方へ回転させるように回転する際、モータ歯車（２２４）の歯がハウジング歯車（２２０）の歯と噛み合う。これにより、ハウジング歯車（２２０）は、ＬＥＤピクセル（１０２）が中央に到達するまで、ＬＥＤピクセル（１０２）の現在の位置に依存して左向き又は右向きに回転する。ハウジング歯車（２２０）が、上述されたようにＬＥＤピクセル（１０２）のハウジング（２１０）の内壁に接続されるので、ＬＥＤピクセル（１０２）は、図３Ｂに示されるように、中央の方へ回転する。結果として、ＬＥＤピクセル（１０２）の視野角は、ディスプレイ（５２６）に表示された情報が様々な視野角から閲覧され得るように変更される。
【００２８】
図３Ａ及び図３Ｂの例は単一のＬＥＤピクセル（１０２）を回転させるＭＥＭＳ（１０４）を記述するが、他の図面および例は、多数のＬＥＤピクセル（１０２）を選択的に回転させるＭＥＭＳ（１０４）を記述する。結果として、二つ以上のＬＥＤピクセル（１０２）が中央の方へ回転することができる。
【００２９】
図４Ａは、本明細書で説明される原理の一例による、右向きに回転したＬＥＤピクセルの一例の略図である。図４Ａ及び図４Ｂに表されるように、ＭＥＭＳ（１０４）は、コントローラ（１０６）により発せられたコマンドに基づいてＬＥＤピクセル（１０２）を右向きに回転させるために使用される。
【００３０】
図４Ａに示されたように、ＬＥＤピクセル（１０２）は右向きに回転する。例えば、＋１度から＋７０度である。結果として、ユーザがディスプレイ（５２６）の右側に配置される場合、ユーザはディスプレイ（５２６）に表示された情報を閲覧することができる。しかしながら、ユーザがディスプレイ（５２６）の左側に配置される場合、ユーザは、右向きに回転するＬＥＤピクセル（１０２）に起因してディスプレイ（５２６）に表示された情報を閲覧することができない。かくして、ディスプレイ（５２６）の右側に配置されたユーザに対して、ディスプレイ（５２６）のプライベートな閲覧が維持される。
【００３１】
図４Ｂは、本明細書で説明される原理の一例による、右向きに回転したＬＥＤピクセルの一例の略図である。後述されるように、ＭＥＭＳ（１０４）は、コントローラ（１０６）から受け取ったコマンドに基づいて、ＬＥＤピクセル（１０２）を右向きに回転させるために使用される。
【００３２】
一例において、ＭＥＭＳ（１０４）は、プライバシーを維持するためにＬＥＤピクセル（１０２）を右向きに回転させるためにコントローラ（１０６）からのコマンドを受け取る。図示されたように、ＭＥＭＳ（１０４）は、モータ（２２２）に接続されたモータ歯車（２２４）を含み、その結果、モータ（２２２）が、コントローラ（１０６）により発せられたコマンドに応答してＬＥＤピクセル（１０２）を右向きに回転させるために矢印４１４により示されるように回転する際、モータ歯車（２２４）の歯がハウジング歯車（２２０）の歯と噛み合う。これにより、ハウジング歯車（２２０）は、矢印４１６により示されるように回転する。ハウジング歯車（２２０）が、上述されたようにＬＥＤピクセル（１０２）のハウジング（２１０）の内壁に接続されるので、ＬＥＤピクセル（１０２）は矢印４１８により示すように、回転する。結果として、ＬＥＤピクセル（１０２）の視野角は、そのＬＥＤピクセルに関するディスプレイ（５２６）でのプライバシーが維持されるように変更される。かくして、ディスプレイ（５２６）のプライベートな閲覧は、そのＬＥＤピクセル（１０２）に関してディスプレイ（５２６）の右側に配置されたユーザに対して、維持される。
【００３３】
図４Ａ及び図４Ｂの例は単一のＬＥＤピクセル（１０２）を回転させるＭＥＭＳ（１０４）を記述するが、他の図面および例は、多数のＬＥＤピクセル（１０２）を選択的に回転させるＭＥＭＳ（１０４）を記述する。結果として、二つ以上のＬＥＤピクセル（１０２）が回転することができ、その結果、ディスプレイ（５２６）でのプライバシーが維持される。
【００３４】
図５は、本明細書で説明される原理の一例による、プライバシーを制御するためのディスプレイの一例である。後述されるように、ディスプレイ（５２６）は、多数のＬＥＤピクセル（５０２）を含む。
【００３５】
図示されたように、ディスプレイ（５２６）は、多数のＬＥＤピクセル（５０２）を含む。後述されるように、ＭＥＭＳ（１０４）は、コントローラ（１０６）により発せられたコマンドに応答して、ＬＥＤピクセル（５０２）を或る角度まで回転させる。一例において、その角度は、−７０度から＋７０である。
【００３６】
一例において、ＭＥＭＳ（１０４）は、コントローラ（１０４）により発せられたコマンドに応答してＬＥＤピクセル（５０２）のそれぞれを或る角度まで回転させ、その結果、ディスプレイ（５２６）のＬＥＤピクセル（５０２）の全てに関するディスプレイ（５２６）のプライベートな閲覧が維持される。例えば、ＬＥＤピクセル（５０２）のそれぞれは、そのＬＥＤピクセル（５０２）を回転させることができるＭＥＭＳ（１０４）を含む。この例において、ＬＥＤピクセル（５０２）の全てに対するＭＥＭＳ（１０４）の全ては、各ＬＥＤピクセル（５０２）を同じ角度まで（例えば、＋３０度まで）回転させるように命令される。かくして、ディスプレイ（５２６）のプライベートな閲覧は、ＬＥＤピクセル（５０２）に関してディスプレイ（５２６）の右側に配置されたユーザに対して維持される。
【００３７】
別の例において、ディスプレイ（５２６）の水平線（横線）と関連しているＬＥＤピクセルは、ディスプレイ（５２６）での水平線のプライベートな閲覧が維持されるように、ディスプレイ（５２６）の鉛直線（縦線）と関連しているＬＥＤピクセルとは無関係に回転する。この例において、図５に示されたＬＥＤピクセル５０２−１から５０２−７、５０２−１５から５０２−２１、５０２−２９から５０２−３５がディスプレイの水平線と関連しており、残りのＬＥＤピクセルは鉛直線と関連している。一例において、コントローラ（１０６）は、＋７０度まで回転させるためにＬＥＤピクセル５０２−１から５０２−７、５０２−１５から５０２−２１、５０２−２９から５０２−３５のＭＥＭＳにコマンドを発する。ひとたび回転すれば、ディスプレイ（５２６）のプライベートな閲覧は、ＬＥＤピクセル５０２−１から５０２−７、５０２−１５から５０２−２１、５０２−２９から５０２−３５に関してディスプレイ（５２６）の右側に配置されたユーザに対して維持されるが、残りのＬＥＤピクセルは、これらＬＥＤピクセルの以前の視野角が０度以下であるとしてもそれらの以前の視野角にとどまる。これらＬＥＤピクセルの視野角が０度より大きい場合、これらＬＥＤピクセルは０度以下に回転する。
【００３８】
更に別の例において、ディスプレイ（５２６）の鉛直線と関連しているＬＥＤピクセルは、ディスプレイ（５２６）での鉛直線のプライベートな閲覧が維持されるように、ディスプレイ（５２６）の水平線と関連しているＬＥＤピクセルとは無関係に回転する。この例において、ＬＥＤピクセル５０２−１から５０２−７、５０２−１５から５０２−２１、５０２−２９から５０２−３５がディスプレイ（５２６）の水平線と関連しており、残りのＬＥＤピクセルは鉛直線と関連している。一例において、コントローラ（１０６）は、−７０度まで回転させるために残りのＬＥＤピクセルのＭＥＭＳにコマンドを発する。ひとたび回転すれば、ディスプレイ（５２６）のプライベートな閲覧は、これらＬＥＤピクセルに関してディスプレイ（５２６）の左側に配置されたユーザに対して維持されるが、ＬＥＤピクセル５０２−１から５０２−７、５０２−１５から５０２−２１、５０２−２９から５０２−３５は、これらＬＥＤピクセルの以前の視野角が０度以上であるとしてもそれらの以前の視野角にとどまる。ＬＥＤピクセル５０２−１から５０２−７、５０２−１５から５０２−２１、５０２−２９から５０２−３５の視野角が０度より小さい場合、これらＬＥＤピクセル５０２−１から５０２−７、５０２−１５から５０２−２１、５０２−２９から５０２−３５は０度以上に回転する。
【００３９】
更に別の例において、ＭＥＭＳ（１０４）は、ディスプレイ（５２６）のＬＥＤピクセル一部のプライベートな閲覧が維持されるように、コントローラ（１０６）により発せられたコマンドに応答してＬＥＤピクセルの一部を回転させる。例えば、ＬＥＤピクセル５０２−１から５０２−１７が、コントローラ（１０６）により発せられたコマンドに応答してＭＥＭＳ（１０４）によって＋７０まで回転する。ひとたび回転すれば、ディスプレイ（５２６）のプライベートな閲覧は、ＬＥＤピクセル５０２−１から５０２−１７に関してディスプレイ（５２６）の左側に配置されたユーザに対して維持されるが、他のＬＥＤピクセルは、これらＬＥＤピクセルの以前の視野角が０度以下であるとしてもそれらの以前の視野角にとどまる。結果として、ディスプレイ（５２６）のそのＬＥＤピクセル５０２−１から５０２−１７のプライベートな閲覧が維持される。
【００４０】
図６は、本明細書で説明される原理の一例による、プライバシーを制御するためのディスプレイの上面図の一例である。上述されたように、コントローラ（１０６）は、ディスプレイ装置（５２６）のＬＥＤピクセル（１０２）のプライベートな閲覧が維持されるように、ＬＥＤピクセル（１０２）を回転させるためにＭＥＭＳ（１０４）に命令するために、ＭＥＭＳ（１０４）にコマンドを発するために使用される。図６から図１２は、基板（６２８）間に位置するＬＥＤピクセル（１０２）、光学フィルム（７３０）、反射器（８３２）、タッチセンサ（１０３４）、又はそれらの組み合わせを含むディスプレイ（５２６）を示す。
【００４１】
特に図６を参照すると、コントローラ（１０６）は、コントローラ（１０６）の入力源（６３４）から入力を受け取って、その入力に基づいてＬＥＤピクセル（１０２）を回転させるためにＭＥＭＳ（１０４）にコマンドを発するためのプロセッサ（６３０）及びメモリ（６３２）を含む。
【００４２】
一例において、コントローラ（１０６）の入力源（６３４）は、多数の押しボタンである。押しボタンは、左押しボタン、中央押しボタン、及び右押しボタンを含む。ユーザが左押しボタンを押下する場合、コントローラ（１０６）は、ＬＥＤピクセル（１０２）を左向きに回転させるようにＭＥＭＳ（１０４）にコマンドを発する。一例において、ユーザが左押しボタンをどれぐらい押下するかに依存して、ＬＥＤピクセル（１０２）を左向きに何度回転させるかが決定される。例えば、１秒毎にユーザが左押しボタンを押下すると、ＬＥＤピクセル（１０２）は−１０度左向きに回転し、−７０度まで回転する。別の例において、ひとたび左押しボタンがユーザにより押下されれば、ＬＥＤピクセル（１０２）は、左向きに最大角度まで回転する（例えば、−７０度）。
【００４３】
ユーザが右押しボタンを押下する場合、コントローラ（１０６）は、ＬＥＤピクセル（１０２）を右向きに回転させるようにＭＥＭＳ（１０４）にコマンドを発する。一例において、ユーザが右押しボタンをどれぐらい押下するかに依存して、ＬＥＤピクセル（１０２）を右向きに何度回転させるかが決定される。例えば、１秒毎にユーザが右押しボタンを押下すると、ＬＥＤピクセル（１０２）は＋１０度右向きに回転し、＋７０度まで回転する。別の例において、ひとたび右押しボタンがユーザにより押下されれば、ＬＥＤピクセル（１０２）は、右向きに最大角度まで回転する（例えば、＋７０度）。
【００４４】
ユーザが中央押しボタンを押下する場合、コントローラ（１０６）は、ＬＥＤピクセル（１０２）を中央の方へ回転させるためにＭＥＭＳ（１０４）にコマンドを発する。結果として、ＬＥＤピクセル（１０２）は、０度まで回転する。
【００４５】
別の例において、コントローラ（１０６）は、コントローラ（１０６）の回転ノブのような入力源（６３４）から入力を受け取って、その入力に基づいてＬＥＤピクセル（１０２）を回転させるためにＭＥＭＳ（１０４）にコマンドを発するためのプロセッサ（６３０）及びメモリ（６３２）を含む。
【００４６】
ユーザが回転ノブを左向きに回転させる場合、コントローラ（１０６）は、ＬＥＤピクセル（１０２）を左向きに回転させるためにＭＥＭＳ（１０４）にコマンドを発する。一例において、回転ノブの中央位置に対する回転ノブの角度に依存して、ＬＥＤピクセル（１０２）を左向きに何度回転させるかが決定される。例えば、ユーザが回転ノブを−３０度まで回転させる場合、ＬＥＤピクセル（１０２）は−３０度まで左向きに回転する。別の例において、ひとたび回転ノブがユーザにより左向きに回転させられる場合、ＬＥＤピクセルは、最大角度まで左向きに回転する（例えば、−７０度）。
【００４７】
ユーザが回転ノブを右向きに回転させる場合、コントローラ（１０６）は、ＬＥＤピクセル（１０２）を右向きに回転させるためにＭＥＭＳ（１０４）にコマンドを発する。一例において、回転ノブの中央位置に対する回転ノブの角度に依存して、ＬＥＤピクセル（１０２）を右向きに何度回転させるかが決定される。例えば、ユーザが回転ノブを＋３０度まで回転させる場合、ＬＥＤピクセル（１０２）は＋３０度まで右向きに回転する。別の例において、ひとたび回転ノブがユーザにより右向きに回転させられる場合、ＬＥＤピクセル（１０２）は、最大角度まで右向きに回転する（例えば、＋７０度）。
【００４８】
ユーザが回転ノブを中央まで回転させる場合、コントローラ（１０６）は、ＬＥＤピクセル（１０２）を中央位置の方へ回転させるためにＭＥＭＳ（１０４）にコマンドを発する。結果として、ＬＥＤピクセル（１０２）は、０度まで回転する。
【００４９】
別の例において、コントローラ（１０６）の入力源（６３４）は、センサである。カメラのようなセンサは、コントローラ（１０６）がユーザの方へＬＥＤピクセル（１０２）を回転させるためにＭＥＭＳ（１０４）にコマンドを発するように、ディスプレイ（５２６）に対するユーザの位置を検出する。例えば、ユーザの位置がディスプレイに対して−３０度であるとセンサが検出する場合、コントローラ（１０６）は、ＬＥＤピクセル（１０２）がユーザの方へ回転するように、ＬＥＤピクセル（１０２）を−３０度まで回転させるためにＭＥＭＳ（１０４）にコマンドを発する。
【００５０】
他の例において、２人以上のユーザがセンサにより検出される。センサは、どのユーザがディスプレイ（５２６）に表示された情報を閲覧する権限を与えられているかを検出し、それに応じてＬＥＤピクセル（１０２）を回転させる。
【００５１】
幾つかの例において、コントローラ（１０６）は、ユーザがＬＥＤピクセル（１０２）のどれを回転させるかを選択することを可能にするための他の入力源を含む。例えば、第１のボタンは、ユーザにより選択される場合、全てのＬＥＤピクセル（１０２）が回転するべきであることを示す。第２のボタンは、ユーザにより選択される場合、ディスプレイ（５２６）の水平線と関連しているＬＥＤピクセル（１０２）が回転するべきであることを示す。第３のボタンは、ユーザにより選択される場合、ディスプレイ（５２６）の鉛直線と関連しているＬＥＤピクセル（１０２）が回転するべきであることを示す。第４のボタンは、ユーザにより選択される場合、ディスプレイ（５２６）のＬＥＤピクセル（１０２）の一部が回転するべきであることを示す。
【００５２】
図示されたように、ディスプレイ（５２６）は、基板Ａ（６２８−１）及び基板Ｂ（６２８−２）を含む。ＬＥＤピクセル（１０２）及びケース（２１２）は、図６に示されたように基板（６２８）間に位置する。一例において、基板は、ガラス基板またはプラスチック基板である。基板（６２８）は透明であり、ひいてはＬＥＤピクセル（１０２）から発せられた光が基板（６２８）を通過することを可能にする。
【００５３】
図７は、本明細書で説明される原理の一例による、プライバシーを制御するためのディスプレイの上面図の一例である。後述されるように、ディスプレイ（５２６）は、基板（６２８）及び光学フィルム（７３０）を含む。
【００５４】
図示されたように、ディスプレイ（５２６）は、基板Ａ（６２８−１）及び基板Ｂ（６２８−２）を含む。ディスプレイ（５２６）は光学フィルム（７３０）を含む。光学フィルム（７３０）は、基板Ａ（６２８−１）とＬＥＤピクセル（１０２）との間に位置する。一例において、光学フィルム（７３０）は、ＬＥＤピクセル（１０２）の輝度を上昇させるために使用される。更に、光学フィルム（７３０）は、ディスプレイ装置（５２６）に表示された情報がより均一に見えるように、ＬＥＤピクセル（１０２）から発せられた光を拡散するために使用される。光学フィルム（７３０）は、非対称転向フィルム、非対称プリズムフィルム、プリズムフィルム、輝度上昇フィルム（Brightness Enhancement Film：ＢＥＦ）、二重輝度上昇フィルム（Dual Brightness Enhancement Film：ＤＢＥＦ）、ディフューザ、又はそれらの組み合わせを含む。光学フィルム（７３０）は、ポリメタクリル酸メチル（ＰＭＭＡ）又はポリカーボネート及び環状オレフィン共重合体（ＣＯＣ）のようなポリアクリル酸を含む。
【００５５】
図８は、本明細書で説明される原理の一例による、プライバシーを制御するためのディスプレイの上面図の一例である。後述されるように、ディスプレイ（５２６）は、基板（６２８）及び反射器（８３２）を含む。
【００５６】
図示されたように、ディスプレイ（５２６）は、基板Ａ（６２８−１）及び基板Ｂ（６２８−２）を含む。ディスプレイ（５２６）は反射器（８３２）を含む。反射器（８３２）は、図８に示されるように、ケース（２１２）と基板Ｂ（６２８−２）との間に位置する。反射器（８３２）は、ＬＥＤピクセル（１０２）の輝度を上昇させるために使用される金属フィルムである。
【００５７】
図９は、本明細書で説明される原理の一例による、プライバシーを制御するためのディスプレイの上面図の一例である。後述されるように、ディスプレイ（５２６）は、基板（６２８）、光学フィルム（７３０）及び反射器（８３２）を含む。
【００５８】
図示されたように、ディスプレイ（５２６）は、基板Ａ（６２８−１）及び基板Ｂ（６２８−２）を含む。ディスプレイ（５２６）は反射器（８３２）を含む。反射器（８３２）は、図９に示されるように、ケース（２１２）と基板Ｂ（６２８−２）との間に位置する。光学フィルム（７３０）は、基板Ａ（６２８−１）とＬＥＤピクセル（１０２）との間に位置する。
【００５９】
図１０は、本明細書で説明される原理の一例による、プライバシーを制御するためのディスプレイの上面図の一例である。後述されるように、ディスプレイ（５２６）は、基板（６２８）、光学フィルム（７３０）及びタッチセンサ（１０３４）を含む。
【００６０】
図示されたように、ディスプレイ（５２６）は、基板Ａ（６２８−１）及び基板Ｂ（６２８−２）を含む。ディスプレイ（５２６）は光学フィルム（７３０）を含む。光学フィルム（７３０）は、基板Ａ（６２８−１）とＬＥＤピクセル（１０２）との間に位置する。ディスプレイ（５２６）は、タッチセンサ（１０３４）を含む。タッチセンサ（１０３４）は、基板Ａ（６２８−１）の上面に層状に積み重ねられた入力センサである。タッチセンサ（１０３４）により、ユーザが、ディスプレイ（５２６）に表示された情報に触れることが可能となり、その結果、ユーザは、ディスプレイ（５２６）と直接的に相互作用する。
【００６１】
図１１は、本明細書で説明される原理の一例による、プライバシーを制御するためのディスプレイの上面図の一例である。後述されるように、ディスプレイ（５２６）は、基板（６２８）、反射器（８３２）及びタッチセンサ（１０３４）を含む。
【００６２】
図示されたように、ディスプレイ（５２６）は、基板Ａ（６２８−１）及び基板Ｂ（６２８−２）を含む。ディスプレイ（５２６）は反射器（８３２）を含む。反射器（８３２）は、基板Ｂ（６２８−２）とケース（２１２）との間に位置する。ディスプレイ（５２６）は、図示されたように基板Ａの上面に配置されたタッチセンサ（１０３４）を含む。
【００６３】
図１２は、本明細書で説明される原理の一例による、プライバシーを制御するためのディスプレイの上面図の一例である。後述されるように、ディスプレイ（５２６）は、基板（６２８）、光学フィルム（７３０）、反射器（８３２）及びタッチセンサ（１０３４）を含む。
【００６４】
図示されたように、ディスプレイ（５２６）は、基板Ａ（６２８−１）及び基板Ｂ（６２８−２）を含む。ディスプレイ（５２６）は反射器（８３２）を含む。反射器（８３２）は、図１２に示されるように、ケース（２１２）と基板Ｂ（６２８−２）との間に位置する。光学フィルム（７３０）は、基板Ａ（６２８−１）とＬＥＤピクセル（１０２）との間に位置する。ディスプレイ（５２６）は、図示されたように基板Ａ（６２８−１）の上面に配置されたタッチセンサ（１０３４）を含む。
【００６５】
図１３は、本明細書で説明される原理の一例による、ディスプレイでプライバシーを制御するための方法の流れ図である。方法（１３００）は、図１Ａ〜図１２のシステムにより実行される。方法（１３００）は、コントローラの入力源を介して、ディスプレイのＬＥＤピクセルの視野角を変更することになる入力を受け取り（１３０１）、コントローラのプロセッサ及びメモリを用いて、ＬＥＤピクセルを回転させるためにＭＥＭＳにコマンドを発し（１３０２）、当該コマンドに基づいて、ディスプレイのプライベートな閲覧が維持されるようにＭＥＭＳによってＬＥＤピクセルを回転させる（１３０３）ことを含む。
【００６６】
上述されたように、方法（１３００）は、ディスプレイのＬＥＤピクセルの視野角を変更することになる入力を、コントローラの入力源を介して受け取ること（１３０１）を含む。幾つかの例において、コントローラの入力源は、上述されたように、多数の押しボタン、回転ノブ、又はセンサである。
【００６７】
上述されたように、方法（１３００）は、コントローラのプロセッサ及びメモリを用いて、ＬＥＤピクセルを回転させるためにＭＥＭＳにコマンドを発すること（１３０２）を含む。幾つかの例において、コマンドは、ＬＥＤピクセルを回転させるために正確な角度を指定する。他の例において、コマンドは、−７０度、０度または＋７０度のような、最小角度、中央または最大角度にＬＥＤピクセルを回転させるように指定する。
【００６８】
上述されたように、方法（１３００）は、コマンドに基づいて、ディスプレイのプライベートな閲覧が維持されるように、ＭＥＭＳによってＬＥＤピクセルを回転させること（１３０３）を含む。幾つかの例において、コマンドは、ＬＥＤピクセルに関するディスプレイでのプライバシーが維持されるように、ＬＥＤピクセルを正確な角度まで回転させる、又はＬＥＤピクセルを−７０度、０度または＋７０まで回転させる。
【００６９】
前述の説明は、説明される原理の例を示す及び説明するために提示された。この説明は、網羅的にする又はこれら原理を開示された任意の全く同一の形態に制限することが意図されていない。多くの変更および変形が、上記の教示に鑑みて可能である。
【図１Ａ】
0006841938.tif 000002
【図１Ｂ】
0006841938.tif 000003
【図２Ａ】
0006841938.tif 000004
【図２Ｂ】
0006841938.tif 000005
【図３Ａ】
0006841938.tif 000006
【図３Ｂ】
0006841938.tif 000007
【図４Ａ】
0006841938.tif 000008
【図４Ｂ】
0006841938.tif 000009
【図５】
0006841938.tif 000010
【図６】
0006841938.tif 000011
【図７】
0006841938.tif 000012
【図８】
0006841938.tif 000013
【図９】
0006841938.tif 000014
【図１０】
0006841938.tif 000015
【図１１】
0006841938.tif 000016
【図１２】
0006841938.tif 000017
【図１３】
0006841938.tif 000018